(57)【要約】【課題】中央部の光源間隔が周縁部の光源間隔よりも狭くされていながら、表示面全体で充分に輝度が均斉化された面光源装置を提供する。【解決手段】輝度均斉化シートが、透光性基材と、該透光性基材にパターン状に設けられた白色インキ部を有し、その透過率は、各線状光源の略直上位置で極小値、隣接する各線状光源同士の略中間上位置で極大値を有し、前記透過率の極小値と当該極小値に隣接する極大値との差Ａが、最小二乗法で二次関数に近似した際、略中央部に極小値を有し、前記透過率の極小値と当該極小値に隣接する極大値との差Ａと、前記輝度調整シートを配置しない状態における輝度分布の極大値と当該極大値に隣接する極小値との差Ｂとの比Ａ／Ｂが、最小二乗法で二次関数に近似した際、略中央部に極小値を有することを特徴とする面光源装置。【選択図】図３
2010061867.tif 000002
【特許請求の範囲】
【請求項１】
互いに平行に配列された複数の線状光源と、該線状光源の光出射側に配置された光拡散板と、該線状光源の光出射側と反対の側に配置された反射板とを有する面発光ユニットと、
透光性基材と、該透光性基材にパターン状に設けられた白色インキ部を有し、前記線状光源の光出射側に配置された輝度均斉化シートとを備え、
前記複数の線状光源の間隔は、最小二乗法で二次関数に近似した際、略中央部に極小値を有し、
前記輝度均斉化シートの透過率は、各線状光源の略直上位置で極小値、隣接する各線状光源同士の略中間上位置で極大値を有し、
前記透過率の極小値と当該極小値に隣接する極大値との差Ａが、最小二乗法で二次関数に近似した際、略中央部に極小値を有し、
前記透過率の極小値と当該極小値に隣接する極大値との差Ａと、前記輝度調整シートを配置しない状態における輝度分布の極大値と当該極大値に隣接する極小値との差Ｂとの比Ａ／Ｂが、最小二乗法で二次関数に近似した際、略中央部に極小値を有することを特徴とする面光源装置。
【請求項２】
前記透過率の極小値は、最小二乗法で二次関数に近似した際、略中央部に極大値を有する請求項１に記載の面光源装置。
【請求項３】
前記複数の線状光源から面発光部の出光面までの距離が、略均等とされている請求項１または２に記載の面光源装置。
【発明の詳細な説明】
【技術分野】
【０００１】
本発明は、液晶表示装置等で使用されるバックライトユニットや照明装置等の面光源装置及び輝度均斉化シートに関する。さらに詳しくは、複数の線状光源が、両端近傍部で中央部よりも広い間隔で配置された面発光ユニットを有する面光源装置、及びこの面光源装置に適した輝度均斉化シートに関する。
【背景技術】
【０００２】
液晶表示装置等の画面は、中央部分に観察者の意識が集中しやすいため、周縁部と比較して中央が明るい方が、画質が良いと感じられる傾向にあることが知られている（特許文献１、２）。また、周縁部の輝度を相対的に低くすることは、観察者に、画面が暗いという感じを与えることなく消費電力を低下させることができるため好ましい。
そのため、液晶表示装置等のバックライトユニットを、複数の線状光源を用いて構成する場合、中央部の光源間隔を周縁部の光源間隔よりも狭くすることが行われている（特許文献３）。特許文献３では、周縁部の光源を中央部の光源よりも出光面側に近づけることにより輝度の均斉化を図っている。
【０００３】
一方、輝度均斉化シートにより、線状光源直上が明るく見える輝度ムラの防止を図ることが知られている（特許文献４）。特許文献４では、透過率調整体ユニットを備えない場合の輝度が高い位置ほど高密度となるように、網点パターンの透過率調整体を設けた透過率調整体（輝度均斉化シート）が開示されている。
【特許文献１】特開２００４−３２７１６５号公報
【特許文献２】特開２００７−２６４０４２号公報
【特許文献３】特開２００５−１５００５６号公報
【特許文献４】国際公開第０６／０２８０８０号パンフレット
【発明の開示】
【発明が解決しようとする課題】
【０００４】
しかしながら、特許文献３のように、周縁部の光源を中央部の光源よりも出光面側に近づけただけでは、輝度ムラが殆ど解消できず、出光面に厚い拡散板を配置しなければ、観察者が線状光源の位置を認識できてしまうものであった。また、光源と出光面の距離を有意に変化させるだけのスペースも必要である。そのため、薄型のバックライトユニットを構成することが困難であった。
一方、特許文献４の輝度均斉化シートを用いれば、光源の直上を中心に輝度を低下させることができるため、厚い拡散板を配置しなくても、観察者が、線状光源の位置を認識できる程の輝度ムラは解消可能である。
しかし、本願発明者らが確認したところ、特許文献４の輝度均斉化シートを、特許文献３のように、中央部の光源間隔を周縁部の光源間隔よりも狭くしたバックライトユニットに適用すると、中央付近と周縁部の何れかで輝度ムラが残ってしまい、充分な均斉化を、表示面全体で達成することができないことが分かった。
【０００５】
本発明は、上記事情に鑑みてなされたものであって、中央部の光源間隔が周縁部の光源間隔よりも狭くされていながら、表示面全体で充分に輝度が均斉化された面光源装置を提供することを課題とする。
【課題を解決するための手段】
【０００６】
上記の課題を達成するために、本発明は以下の構成を採用した。
［１］互いに平行に配列された複数の線状光源と、該線状光源の光出射側に配置された光拡散板と、該線状光源の光出射側と反対の側に配置された反射板とを有する面発光ユニットと、透光性基材と、該透光性基材にパターン状に設けられた白色インキ部を有し、前記線状光源の光出射側に配置された輝度均斉化シートとを備え、前記複数の線状光源の間隔は、最小二乗法で二次関数に近似した際、略中央部に極小値を有し、前記輝度均斉化シートの透過率は、各線状光源の略直上位置で極小値、隣接する各線状光源同士の略中間上位置で極大値を有し、前記透過率の極小値と当該極小値に隣接する極大値との差Ａが、最小二乗法で二次関数に近似した際、略中央部に極小値を有し、前記透過率の極小値と当該極小値に隣接する極大値との差Ａと、前記輝度調整シートを配置しない状態における輝度分布の極大値と当該極大値に隣接する極小値との差Ｂとの比Ａ／Ｂが、最小二乗法で二次関数に近似した際、略中央部に極小値を有することを特徴とする面光源装置。
【０００７】
［２］前記透過率の極小値は、最小二乗法で二次関数に近似した際、略中央部に極大値を有する［１］に記載の面光源装置。
［３］前記複数の線状光源から面発光部の出光面までの距離が、略均等とされている［１］または［２］に記載の面光源装置。
【発明の効果】
【０００８】
本発明によれば、中央部の光源間隔が周縁部の光源間隔よりも狭くされていながら、表示面全体で充分に輝度が均斉化された面光源装置とすることができる。
【発明を実施するための最良の形態】
【０００９】
本発明の面光源装置である面光源装置の一実施形態について説明する。但し、本発明は、以下の実施形態に限定されるものではない。
本実施形態における面光源装置１は、図１に示すように、面発光ユニット２０と輝度均斉化シート１０を備えるものである。図１では、図示の便宜上厚みを適宜強調している。
なお、面発光装置１は、面発光ユニット２０の光出射側に、プリズムシート、拡散シート、輝度向上シートなどの光学部材を更に具備していてもよい。
【００１０】
＜面発光ユニット＞
面発光ユニット２０は、矩形状の開口部を有するハウジング２１と、ハウジング２１に収容される複数（図１では２２本）の線状光源Ｌｍ、Ｌｎ（ｍ、ｎは正の整数、図１では１〜１１の正の整数）と、ハウジング２１の開口部を塞ぐ様に線状光源２２の光出射側に設けられた光拡散板２３と、ハウジング２１の内側の底面２１ａに設けられた反射板２４とを具備する。
【００１１】
［線状光源］
線状光源Ｌｍ、Ｌｎとしては、冷陰極蛍光管（ＣＣＦＬ）、熱陰極蛍光管（ＨＣＦＬ）、外部電極陰極管（ＥＥＦＬ）などが採用できる。また、線状に配置すれば、発光ダイオード（ＬＥＤ）のような点状光源を用いることもできる。
線状光源Ｌｍは図示左側に、線状光源Ｌｎは図示右側に、ｍ、ｎの数が小さいほど中央となるように、互いに平行に配列され、各々図１における紙面の垂直方向に延在している。なお、線状光源の本数が奇数の場合は、最も中央に配置される線状光源がＬ（ｍ＝１）＝Ｌ（ｎ＝１）となる。
ここで、各線状光源Ｌｍ、Ｌｎと直交する方向（図１における左右方向）の座標Ｘにおける各線状光源Ｌｍの中心位置を座標Ｘｍとし、各線状光源Ｌｎの中心位置を座標Ｘｎと定義する。また、線状光源Ｌｍ、Ｌｎの間隔ｄについて、以下のように定義する。
ｍが２以上の場合：ｄｍ＝｜Ｘｍ−Ｘｍ−１｜
ｎが２以上の場合：ｄｎ＝｜Ｘｎ−Ｘｎ−１｜
ｍ＝ｎ＝１の場合、ｄ１＝｜Ｘ（ｍ＝１）−Ｘ（ｎ＝１）｜
なお、線状光源の本数が奇数の場合は、Ｘ（ｍ＝１）＝Ｘ（ｎ＝１）となり、ｄ１＝０となるためこの点は除外する。
線状光源Ｌｍ、Ｌｎの間隔ｄｍ、ｄｎは互いに独立であり、必ずしもｍ＝ｎの時にｄｍ＝ｄｎである必要は無い
【００１２】
中央部の輝度を高くする手段として、本発明では、線状光源の間隔は、最小二乗法で二次関数に近似した際、略中央部に極小値を有する。具体的には、座標Ｘを横軸、間隔ｄを縦軸として、線状光源の中間の座標（Ｘｍ−Ｘｍ−１）／２、（Ｘｎ−Ｘｎ−１）／２に対応するｄｍ、ｄｎをプロットした各点を最小二乗法で二次関数ＦＬ（Ｘ）に近似した際に、二次関数ＦＬ（Ｘ）は下に凸の形状となり、その極小値の座標Ｘ０が略中央部にある。
座標Ｘ０は、Ｘ（ｍ＝１）とＸ（ｎ＝１）の範囲にあることが好ましい。但し、線状光源の本数が奇数の場合は、座標Ｘ０はＸ（ｍ＝２）とＸ（ｎ＝２）の範囲にあることが好ましい。線状光源Ｌｍ、Ｌｎの間隔ｄｍ、ｄｎは、ｍ、ｎが大きくなるに従って単調に増加（但し、一部が一定であってもよい。）することが好ましい。
【００１３】
なお、本発明における極大値とは、座標Ｘに対する一次導関数がゼロであると共に二次導関数がマイナスとなる際の値である。また、極小値とは一次導関数がゼロであると共に二次導関数がプラスとなる際の値である。
すなわち、二次関数ＦＬ（Ｘ）の極大値は、ＦＬ■（Ｘ０）＝０かつＦＬ■（Ｘ０）＜０を満たすＸ０に対するＦＬ（Ｘ０）の値であり、極小値とはＦＬ■（Ｘ０）＝０かつＦＬ■（Ｘ０）＞０を満たすＸ０に対するＦＬ（Ｘ０）の値である。ここでＦＬ■（Ｘ）はＦＬ（Ｘ）のＸに関する一次導関数、ＦＬ■（Ｘ）はＸに関する二次導関数である。
各線状光源Ｌｍ、Ｌｎと光拡散板２３との距離は、多少の変動があってもよいが、薄型化の観点から、均一であることが好ましい。また、各線状光源Ｌｍ、Ｌｎの中心と光拡散板２３との距離は、６ｍｍ以下であることが好ましい。これにより、面発光ユニット２０を容易に薄型化できる。
【００１４】
［光拡散板］
面発光ユニット２０を構成する光拡散板２３は、入射光を拡散可能で、その光拡散性が面方向に均一な板である。
光拡散板２３の厚さは、１ｍｍ以上であることが好ましい。１ｍｍ以上であれば、面発光ユニット２０の開口部の強度が維持しやすくなると共に、より均質な面発光を得ることができる。また、表示装置全体の薄型化の観点から、４ｍｍ以下とすることが好ましく、２．５ｍｍ以下とすることがより好ましい。
また、光拡散板２３は、光出入射面がハウジング２１の開口部と相似形で僅かに大きいことが好ましい。光拡散板２３の具体例としては、例えば、光散乱性微粒子を含有する透明樹脂製の板などが挙げられる。
【００１５】
光拡散板２３を構成する透明樹脂としては、例えば、ポリメチルメタクリレート、ポリカーボネート、シクロオレフィンポリマー、ポリエチレンテレフタレート、ポリプロピレン、ポリスチレン、メチルメタクリレートとスチレンの共重合体などが挙げられる。光散乱性微粒子としては、例えば、アクリル系、スチレン−アクリル系、ポリウレタン系、ポリエチレン系等の有機フィラーや、シリコーンビーズ、中空粒子、炭酸カルシウム、水酸化アルミニウム、シリカ微粒子等の無機フィラーなどが挙げられる。
光拡散板２３は、ＪＩＳ  Ｋ７１０５に従って測定された全光線透過率が４０〜７０％であることが好ましい。光拡散板２３の全光線透過率が４０％以上であれば、輝度をより充分に均斉化でき、７０％以下であれば、面光源装置１の輝度を充分に確保できる。
光拡散板２３は、輝度向上のために何れか一方の面又は両面に凹凸が形成されていてもよい。例えば、何れか一方の面又は両面に、多数のプリズムが配列されたプリズム拡散板であってもよい。
【００１６】
［反射板］
面発光ユニット２０を構成する反射板２４としては、例えば、白色のプラスチックシート（白色ポリエチレンテレフタレートシート、白色ポリプロピレンシートなど）を、樹脂、金属、金属蒸着板などの基材に貼り付けたものが挙げられる。また、金属板、樹脂や金属等の基材の表面に銀やアルミニウム等の金属が蒸着された金属蒸着板などが挙げられる。反射板２４は、ハウジング２１の内側の底面２１ａと一体化されたものでもよい。
【００１７】
［面発光ユニットの輝度曲線］
図２は、前記座標Ｘを横軸とし、図１の面発光ユニット２０のみで得られる輝度（以下「均斉化前の輝度」という。）を縦軸とする輝度曲線（以下「均斉化前の輝度曲線」という。）の一例である。
本実施形態では、複数の線状光源Ｌｍ、Ｌｎが平行に配列されているので、均斉化前の輝度曲線は極大点と極小点が繰り返えされるパターンとなる。
均斉化前の輝度曲線が極大値をとるのは、各線状光源Ｌｍ、Ｌｎの略直上位置である。すなわち、座標Ｘｍ、Ｘｎと、ほぼ等しい位置で極大値をとる。また、均斉化前の輝度曲線が極小値をとるのは、隣接する線状光源Ｌｍ、Ｌｎ同士の略中間上位置である。図２において、各均斉化前の輝度曲線の極大値をＱｍ、Ｑｎで示した。各極大値Ｑｍの座標Ｘｑｍは座標Ｘｍと、各極大値Ｑｎの座標Ｘｑｎは座標Ｘｎと、各々ほぼ等しい。
座標Ｘを横軸、輝度を縦軸として、座標Ｘｑｍ、Ｘｑｎに対応するＱｍ、Ｑｎをプロットした各点を最小二乗法で二次関数ＦＱ（Ｘ）に近似した際に、二次関数ＦＱ（Ｘ）は上に凸の形状となり、その極大値の座標Ｘｑ０が略中央部にある。
座標Ｘｑ０は、Ｘ（ｍ＝１）とＸ（ｎ＝１）の範囲にあることが好ましい。但し、線状光源の本数が奇数の場合は、座標Ｘｑ０はＸ（ｍ＝２）とＸ（ｎ＝２）の範囲にあることが好ましい。極大値Ｑｍ、Ｑｎは、ｍ、ｎが大きくなるに従って単調に減少（但し、一部が一定であってもよい。）することが好ましい。
ＦＱ（Ｘ）が上に凸の形状となるのは、ｍ、ｎが大きくなるに従って光源の間隔ｄｍ、ｄｎが増加することに起因する。
【００１８】
また、均斉化前の輝度の各極大値Ｑｍ、Ｑｎと両側に隣接する極小値Ｑｍ■、Ｑｎ■との差Ｂを、Ｂｍ＝Ｑｍ−Ｑｍ■、Ｂｎ＝Ｑｎ−Ｑｎ■と定義すると、Ｂｍ、Ｂｎは均斉化前の輝度の部分的な振幅を表す。但し、極小値Ｑｍ■、Ｑｎ■は、ｍ、ｎが最大値の場合（図１では、ｍ＝１１、ｎ＝１１の場合）は中央側で隣接する極小値であり、ｍ、ｎが最大値以外の場合（図１では、ｍ＝１〜１０、ｎ＝１〜１０の場合）は、両側の隣接する極小値の平均値である。
座標Ｘを横軸、差Ｂを縦軸として、座標Ｘｑｍ、Ｘｑｎに対応するＢｍ、Ｂｎをプロットした各点を最小二乗法で二次関数ＦＢ（Ｘ）に近似した際に、二次関数ＦＢ（Ｘ）は下に凸の形状となり、その極小値の座標Ｘｂ０が略中央部にある。
座標Ｘｂ０は、Ｘ（ｍ＝１）とＸ（ｎ＝１）の範囲にあることが好ましい。但し、線状光源の本数が奇数の場合は、座標Ｘｂ０はＸ（ｍ＝２）とＸ（ｎ＝２）の範囲にあることが好ましい。差Ｂｍ、Ｂｎは、ｍ、ｎが大きくなるに従って単調に増加（但し、一部が一定であってもよい。）することが好ましい。
ＦＢ（Ｘ）が下に凸の形状となるのは、ｍ、ｎが大きくなるに従って光源の間隔ｄｍ、ｄｎが増加することに起因する。
【００１９】
＜輝度均斉化シート＞
輝度均斉化シート１０は、透光性基材に白色インキが所定のパターン状に印刷されたものである。輝度均斉化シート１０の光出入射面の面積と光拡散板２３の光出入射面の面積は略同一になっている。
輝度均斉化シート１０は、図１に示すように面発光ユニット２０の拡散板２３の上に配置させてもよいし、下に配置させてもよい。冷陰極管の熱による変形などの影響を受けにくいことから、上に配置することが好ましい。印刷面は、光源側でも観察者側でもよい。但し、製造工程におけるハンドリングのしやすさから印刷面が観察者側となるように配置することが好ましい。
【００２０】
［透光性基材］
輝度均斉化シート１０を構成する透光性基材としては、ガラス基板や透明樹脂シートが用いられる。透明樹脂シートを構成する透明樹脂としては、例えば、ポリメチルメタクリレート、ポリカーボネート、シクロオレフィンポリマー、ポリエチレンテレフタレート、ポリプロピレン、ポリスチレン、メチルメタクリレートとスチレンの共重合体などが挙げられる。透光性基材としては、網点を印刷しやすいことから、透明樹脂シートが好ましい。透光性基材の厚さは３０μｍ〜４ｍｍであることが好ましい。透光性基材が３０μｍ以上であれば、充分な強度を有する。
もちろん、本発明の効果を損なわない範囲で、透光性基材に光拡散性微粒子を含む顔料を内添、あるいは塗工してもよいし、発泡シートを使用することもできる。また、透光性基材として、拡散シート、拡散板、プリズムシートなどの光学部材を用い、拡散シートや拡散板の片面に印刷したり、プリズムシートのプリズムが形成されていない面に印刷して、輝度均斉化シート１０としてもよい。これら光学部材には光散乱性微粒子が含まれていてもよい。光散乱性微粒子を含有する場合、光拡散板２３に用いる光散乱性微粒子と同様のものが使用できる。
【００２１】
［白色インキ］
白色インキとしては、例えば蒸発乾燥型インキ、酸化重合型インキ、加熱硬化型インキ、２液反応型インキ、紫外線硬化インキなど各種白色インキが使用できる。これらの中でも紫外線照射により瞬時にインキがセットされるため微妙な階調制御が行ないやすく、耐擦過性も期待できる紫外線硬化型インキが好適に使用でき、特にオフセット印刷の場合は、貼り付き防止パウダーが不要となるため、特に好ましく使用される。
白色インキには、酸化チタン、酸化ケイ素、酸化亜鉛、炭酸カルシウム、タルク、クレー、塩基性炭酸鉛、チタン酸ストロンチウム、硫酸バリウム等の白色顔料が含まれる。これらの中でも、透過率制御効果が高い、色調の偏りが少ないなどの点で、酸化チタンや酸化亜鉛、硫酸バリウムが好ましい。
また、白色の色調を大きく損なわない範囲であれば、一般的な白色インキに含まれる成分以外にも、前述の光拡散性微粒子や色調調整用に微量の着色顔料等が含まれていてもよい。
【００２２】
［印刷方法］
白色インキの印刷方法としては、オフセット、フレキソ、グラビア、スクリーン、パット、インクジェットなど公知の技術を、所望のパターンや基材の種類などに応じて適宜選択して用いることができる。特に製版が比較的容易で生産性も高いことから、オフセット印刷やフレキソ印刷がより好ましく、拡散板への直接印刷など厚みのある基材に対しては、スクリーン印刷やインクジェット印刷、パッド印刷がより適している。また、複数の印刷方式を組み合わせたり、多色印刷機や両面印刷機を用いる等の手段により、白色インキのパターン印刷部に重ね刷りもしくは両面印刷を施しても良く、例えば白色インキ部の密着性や擦過性向上のためにアンダーコートやオーバーコートをベタ印刷してもよい。重ね刷りもしくは両面印刷によって得られる輝度均一化シートが所望の階調印刷パターンを保持していれば、白色インキのパターン印刷に組み合わせる印刷のインキは、白色インキであっても、透明ニスなどの白色成分を含まない透明インキであってもよい。
白色インキのパターン印刷層として最適な厚さは、印刷方式や白色インキの種類によって異なるため限定するものではないが、０．５〜２０μｍが望ましい。０．５μｍ未満になると印刷の安定性が保ち難く、２０μｍより厚くなると印刷部の耐擦過性が保ち難い。
【００２３】
［透過率曲線］
本発明の輝度均斉化シート１０は、透過率がパターン状とされている。本発明において、透過率とは、ＪＩＳ  Ｋ７３６１−１に定義される全光線透過率である。
全光線透過率は当該ＪＩＳ準拠の測定装置で測定することが基本であるが、該ＪＩＳ準拠の測定装置の測定面積が、輝度均斉化シート１０の透過率変化に対して大きすぎる場合は、より小さな測定面積で全光線透過率に対応する透過光量が測定可能な、各種透過率計や透過濃度計を使用して間接的に透過率（全光線透過率）のパターンを確認することができる。
全光線透過率に対応する透過光量が測定可能な装置としては、特に、ＪＩＳ  Ｂ９６２０−１で色分解フィルムのトーンバリュー測定装置として記載される透過濃度計が好ましい。また、透過率との相関が得られる場合は、同ＪＩＳで印刷物のトーンバリュー測定装置として記載される反射濃度計や測色計を用いてもよく、印刷面の拡大画像から幾何学的網点面積率を測定してもよい。これらの測定における測定面積は、前述の通り透過率変化に対して測定面積が大きすぎると透過率変化が平均化されてすぎてしまい、小さすぎると印刷の微小なムラや網点印刷のスクリーン幅の影響を受け、測定に支障を及ぼす可能性があるため、印刷パターンに合わせて設定するのが望ましい。網点印刷したシートを透過濃度計で測定する場合、アパーチャーの面積は網点スクリーン幅の５〜２０倍程度が好ましく、より好ましい範囲としては１０〜１５倍が例示できる。また、また、測定間隔は、大きすぎたり小さすぎたりすると、前記測定面積と同様の理由により測定に支障を及ぼす可能性があるため、印刷パターンに併せて設定するのが好ましい。例えば、０．５〜５ｍｍの測定間隔とすることができる。
【００２４】
図３は、前記座標Ｘを横軸とし、透過率を縦軸とした輝度均斉化シート１０の透過率曲線の一例である。
図２のように、均斉化前の輝度曲線が極大値と極小値を繰り返すパターンとなるので、透過率曲線は極小値と極大値を繰り返すパターンとする。
透過率曲線上で透過率が極小値Ｐをとるのは、各線状光源Ｌｍ、Ｌｎの略直上位置である。すなわち、座標Ｘｍ、Ｘｎと、ほぼ等しい位置で極小値をとる。また、透過率が極大値をとるのは、隣接する線状光源Ｌｍ、Ｌｎ同士の略中間上位置である。図３において、各透過率の極小値をＰｍ、Ｐｎで示した。各極小値Ｐｍの座標Ｘｐｍは座標Ｘｍと、各極小値Ｐｎの座標Ｘｐｎは座標Ｘｎと、各々ほぼ等しいことが好ましく、｜Ｘｐｍ−Ｘｍ｜＜ｄｍ／５、｜Ｘｐｎ−Ｘｎ｜＜ｄｎ／５を満たすことが好ましい。
透過率の各極小値Ｐｍ、Ｐｎは互いに独立であり、必ずしもｍ＝ｎの時にＰｍ＝Ｐｎである必要は無い。
【００２５】
座標Ｘを横軸、透過率を縦軸として、座標Ｘｐｍ、Ｘｐｎに対応するＰｍ、Ｐｎをプロットした各点を最小二乗法で二次関数ＦＰ（Ｘ）に近似した際に、二次関数ＦＰ（Ｘ）は上に凸の形状となり、その極大値の座標ＸＰ０が略中央部にあることが好ましい。これにより、均斉化前の輝度曲線の特徴である中央部の輝度が高い傾向を損なわずに均斉化をすることができる。
座標Ｘｐ０は、Ｘ（ｍ＝１）とＸ（ｎ＝１）の範囲にあることが好ましい。但し、線状光源の本数が奇数の場合は、座標Ｘｐ０はＸ（ｍ＝２）とＸ（ｎ＝２）の範囲にあることが好ましい。極小値Ｐｍ、Ｐｎは、ｍ、ｎが大きくなるに従って単調に減少（但し、一部が一定であってもよい。）することが好ましい。
【００２６】
透過率の各極小値Ｐｍ、Ｐｎと両側に隣接する極大値Ｐｍ■、Ｐｎ■との差Ａｍ＝Ｐｍ−Ｐｍ■、Ａｎ＝Ｐｎ−Ｐｎ■を定義すると、Ａｍ、Ａｎは透過率の部分的な振幅を表す。但し、極大値Ｐｍ■、Ｐｎ■は、ｍ、ｎが最大値の場合（図１では、ｍ＝１１、ｎ＝１１の場合）は中央側で隣接する極大値であり、ｍ、ｎが最大値以外の場合（図１では、ｍ＝１〜１０、ｎ＝１〜１０の場合）は、両側の隣接する極大値の平均値である。
総ての極小値Ｐｍ、Ｐｎは、近似曲線ＦＰ（Ｘ）から０．５×Ａｎ、０．５×Ａｍの範囲内にあることが好ましい。
座標Ｘを横軸、差Ａを縦軸として、座標Ｘｐｍ、Ｘｐｎに対応するＡｍ、Ａｎをプロットした各点を最小二乗法で二次関数ＦＡ（Ｘ）に近似した際に、二次関数ＦＡ（Ｘ）は下に凸の形状となり、その極小値の座標Ｘｐ０が略中央部にある。これにより、均斉化前の輝度曲線の特徴である両端近傍部において中央部よりも振幅が大きくなる傾向に対応できる。
座標Ｘｐ０は、Ｘ（ｍ＝１）とＸ（ｎ＝１）の範囲にあることが好ましい。但し、線状光源の本数が奇数の場合は、座標Ｘｐ０はＸ（ｍ＝２）とＸ（ｎ＝２）の範囲にあることが好ましい。差Ａｍ、Ａｎは、ｍ、ｎが大きくなるに従って単調に増加（但し、一部が一定であってもよい。）することが好ましい。
差Ａｍ、Ａｎの最大値と最小値の差を（Ａｍａｘ−Ａｍｉｎ）としたとき、総ての差Ａｍ、Ａｎが近似曲線ＦＡ（Ｘ）から０．５×（Ａｍａｘ−Ａｍｉｎ）の範囲内にあることが好ましい。
【００２７】
また、本願発明者らが検討したところ、均斉化前の輝度曲線の振幅が大きくなった際、透過率の振幅はそれに比例させて大きくしただけでは、中央部又は両端近傍部の何れかに均斉化できない部分が残ってしまうことが分かった。そして、その原因は、線状光源Ｌｍ、Ｌｎの間隔が均一でないためであることが判明した。
線状光源Ｌｍ、Ｌｎの間隔が均一であれば、線状光源Ｌｍ、Ｌｎからの光は、輝度均斉化シート１０に入射すると透過率の低い領域ほど反射されやすく、反射後、さらに反射板２４で反射され、再度輝度均斉化シート１０に入射する。その結果、当初透過率の低い領域に入射した光が、透過率の高い領域に回り込む現象が生じ、輝度の均斉化が達成できる。
しかしながら、線状光源Ｌｍ、Ｌｎの間隔が広くなると、透過率の高い領域が広くなるため、単位面積あたりの回り込みによる光の受光量が減少してしまい、均斉化の効果が不足しやすい。これを補うためには、線状光源Ｌｍ、Ｌｎの間隔が広い領域では、透過率の振幅を一層増大させて、光の回り込み効果を高めなければならない。
したがって、均斉化前の輝度曲線の振幅が大きくなった場合、透過率の振幅をそれに比例するよりも大きく増加させれば、全体のバランスが得られることが分かった。
【００２８】
したがって、本発明では、透過率の部分的な振幅Ａｍ、Ａｎと、均斉化前の輝度の部分的振幅Ｂｍ、Ｂｎとの比Ｒｍ＝Ａｍ／Ｂｍ、Ｒｎ＝Ａｎ／Ｂｎを、ｍ、ｎの数が小さいほど中央となるように定義すると以下の関係が得られる。
すなわち、座標Ｘを横軸、比Ｒを縦軸として、座標Ｘｐｍ、Ｘｐｎに対応するＲｍ、Ｒｎをプロットした各点を最小二乗法で二次関数ＦＲ（Ｘ）に近似した際に、二次関数ＦＲ（Ｘ）は下に凸の形状となり、その極小値の座標Ｘｒ０が略中央部にある。
座標Ｘｒ０は、Ｘ（ｍ＝１）とＸ（ｎ＝１）の範囲にあることが好ましい。但し、線状光源の本数が奇数の場合は、座標Ｘｒ０はＸ（ｍ＝２）とＸ（ｎ＝２）の範囲にあることが好ましい。比Ｒｍ、Ｒｎは、ｍ、ｎが大きくなるに従って単調に増加（但し、一部が一定であってもよい。）することが好ましい。また、比Ｒｍ、Ｒｎの最大値と最小値の差を（Ｒｍａｘ−Ｒｍｉｎ）としたとき、総ての比Ｒｍ、Ｒｎが近似曲線ＦＲ（Ｘ）から０．５×（Ｒｍａｘ−Ｒｍｉｎ）の範囲内にあることが好ましい。
【００２９】
［透過率の調整方法（階調印刷）］
パターン状の透過率は、透光性基材に白色インキを所望の階調値設定で、パターン印刷することによって得られる。例えば、透過率が最も高くなる印刷しない部分の階調値を０％に、印刷により透過率が最も低くなる部分の階調値を１００％に割り当てることができる。
階調値の制御方法としては、網点印刷により網点面積率を変えたり、印刷回数やインキ量を変えることで白色インキ部の厚さを変化させたり、透過率の異なる白色インキを組み合わせて印刷するなどの方法が挙げられる。また、それらを組み合わせて調整してもよい。
【００３０】
網点印刷により網点面積率を変える場合、網点の大きさを変えて階調を調整するＡＭ網点方式や、網点の個数を変えて階調を調整するＦＭ網点方式、両者の長所を生かしたハイブリッド方式（例えば、大日本スクリーン製造株式会社製：Ｆａｉｒｄｏｔ、ＲａｎｄｏｔＸ、クレオジャパン株式会社製：Ｓｔａｃｃｔｏ）など各種スクリーン方式の網点印刷が採用できる。
ＡＭスクリーン印刷の場合、印刷方式によっても異なるが、スクリーン線数は４０〜４００線程度が好ましく、より好ましくは６０〜２００線である。スクリーン線数が低すぎると網点に起因するムラが輝度均一化の妨げとなる可能性があり、逆にスクリーン線数が高すぎると印刷管理が難しくなる。また、網点の形状としては、スクエア、ラウンド、エリプティカル、チェーン、ライン、クロスライン、トライアングル、ハニカムなど、公知の網点形状が例示できる。
【００３１】
［階調値曲線］
輝度均斉化シート１０は、線状光源Ｌｎから到達する光を均斉化して出射できるように階調値が調整された印刷パターンで白インキが印刷されている。
図４は、前記座標Ｘを横軸とし、階調値を縦軸とした輝度均斉化シート１０の階調値曲線の一例である。階調値と透過率とは負の相関関係があるので、階調値曲線は、透過率曲線を上下反転させたパターンとなる。
したがって、階調値曲線上で階調値が極大値Ｓをとるのは、各線状光源Ｌｍ、Ｌｎの略直上位置である。すなわち、座標Ｘｍ、Ｘｎと、ほぼ等しい位置で極大値をとる。また、階調値が極小値をとるのは、隣接する線状光源Ｌｍ、Ｌｎ同士の略中間上位置である。図４において、各階調値の極大値をＳｍ、Ｓｎで示した。各極大値Ｓｍの座標Ｘｓｍは座標Ｘｍと、各極大値Ｓｎの座標Ｘｓｎは座標Ｘｎと、各々ほぼ等しいことが好ましく、｜Ｘｓｍ−Ｘｍ｜＜ｄｍ／５、｜Ｘｓｎ−Ｘｎ｜＜ｄｎ／５を満たすことが好ましい。階調値の各極大値Ｓｍ、Ｓｎは互いに独立であり、必ずしもｍ＝ｎの時にＳｍ＝Ｓｎである必要は無い。
【００３２】
座標Ｘを横軸、階調値を縦軸として、座標Ｘｓｍ、Ｘｓｎに対応するＳｍ、Ｓｎをプロットした各点を最小二乗法で二次関数ＦＳ（Ｘ）に近似した際に、二次関数ＦＳ（Ｘ）は下に凸の形状となり、その極小値の座標Ｘｓ０が略中央部にあることが好ましい。座標Ｘｓ０の好ましい位置は、座標Ｘｐ０と同様である。極大値Ｓｍ、Ｓｎは、ｍ、ｎが大きくなるに従って単調に増加（但し、一部が一定であってもよい。）することが好ましい。
【００３３】
階調値の各極大値Ｓｍ、Ｓｎと両側に隣接する極小値Ｓｍ■、Ｓｎ■との差Ｃｍ＝Ｓｍ−Ｓｍ■、Ｃｎ＝Ｓｎ−Ｓｎ■を定義すると、Ｃｍ、Ｃｎは階調値の部分的な振幅を表す。但し、極小値Ｓｍ■、Ｓｎ■は、ｍ、ｎが最大値の場合（図１では、ｍ＝１１、ｎ＝１１の場合）は中央側で隣接する極小値であり、ｍ、ｎが最大値以外の場合（図１では、ｍ＝１〜１０、ｎ＝１〜１０の場合）は、両側の隣接する極小値の平均値である。
総ての極小値極大値Ｓｍ、Ｓｎは、近似曲線ＦＳ（Ｘ）から０．５×Ｃｍ、０．５×Ｃｎの範囲内にあることが好ましい。
座標Ｘを横軸、差Ｃを縦軸として、座標Ｘｓｍ、Ｘｓｎに対応するＣｍ、Ｃｎをプロットした各点を最小二乗法で二次関数ＦＣ（Ｘ）に近似した際に、二次関数ＦＣ（Ｘ）は下に凸の形状となり、その極小値の座標Ｘｓ０が略中央部にある。座標Ｘｓ０の好ましい位置は、座標Ｘｐ０と同様である。差Ｃｍ、Ｃｎは、ｍ、ｎが大きくなるに従って単調に増加（但し、一部が一定であってもよい。）することが好ましい。
差Ｃｍ、Ｃｎの最大値と最小値の差を（Ｃｍａｘ−Ｃｍｉｎ）としたとき、総ての差Ｃｍ、Ｃｎが近似曲線ＦＣ（Ｘ）から０．５×（Ｃｍａｘ−Ｃｍｉｎ）の範囲内にあることが好ましい。
【００３４】
階調値の部分的な振幅Ｃｍ、Ｃｎと、均斉化前の輝度の部分的振幅Ｂｍ、Ｂｎとの比Ｔｍ＝Ｃｍ／Ｂｍ、Ｔｎ＝Ｃｎ／Ｂｎを、ｍ、ｎの数が小さいほど中央となるように定義すると、比Ｔは、比Ｒと同様の関係である。
すなわち、座標Ｘを横軸、比Ｔを縦軸として、座標ＸＳｍ、ＸＳｎに対応するＴｍ、Ｔｎをプロットした各点を最小二乗法で二次関数ＦＴ（Ｘ）に近似した際に、二次関数ＦＴ（Ｘ）は下に凸の形状となり、その極小値の座標Ｘｔ０が略中央部にある。
座標Ｘｔ０の好ましい位置は、座標Ｘｐ０と同様である。比Ｔｍ、Ｔｎは、ｍ、ｎが大きくなるに従って単調に増加（但し、一部が一定であってもよい。）することが好ましい。比Ｔｍ、Ｔｎの最大値と最小値の差を  （Ｔｍａｘ−Ｔｍｉｎ）としたとき、総ての比Ｔｍ、Ｔｎが近似曲線ＦＴ（Ｘ）から  ０．５×（Ｔｍａｘ−Ｔｍｉｎ）の範囲内にあることが好ましい。
【００３５】
［階調値曲線の求め方］
本発明における階調値の具体的パターンは、例えば以下の手順で求めることができる。
（ａ）面発光ユニット２０のみを用いて、横軸を線状光源Ｌｍ、Ｌｎの長手方向に対して垂直方向に沿った座標Ｘにおける複数位置にて、均斉化前の輝度を測定し、横軸を前記位置、縦軸を均斉化前の輝度とする均斉化前の輝度曲線を得る。
（ｂ）均斉化前の輝度曲線を最小二乗法により二次関数に近似して、基準曲線を得る。
（ｃ）前記位置毎の均斉化前の輝度と基準曲線上の基準輝度との差から輝度差を求め、横軸を前記位置、輝度差を縦軸とする輝度差曲線を得る。
（ｄ）前記位置毎の暫定階調値（０〜１００％）を下記式（１）に基づき設定する。そして、前記位置毎の階調値を暫定階調値とした輝度均斉化シート１０を面発光ユニット２０に上に配置して、前記位置毎に暫定輝度を測定し、横軸を座標Ｘにおける位置、縦軸を暫定輝度とする暫定輝度曲線を得る。
暫定階調値＝中心階調値＋Ｋ×｛（輝度差）／（輝度差の最大絶対値）｝
（但し、中心階調値は２０〜８０％、Ｋは３〜５０％である。）
・・・・・式（１）
（ｅ）先の暫定輝度曲線が、均斉化前の輝度曲線と同じ位相で極大値と極小値を有する場合はＫを大きくし、均斉化前の輝度曲線と位相が反転している場合はＫを小さくして、式（１）に基づき新たな暫定階調値を設定する。そして、前記位置毎の階調値を新たな暫定階調値とした輝度均斉化シート１０を面発光ユニット２０に上に配置して、前記位置毎に新たな暫定輝度を測定し、横軸を座標Ｘにおける位置、縦軸を新たな暫定輝度とする新たな暫定輝度曲線を得る。
（ｆ）（ｅ）を繰り返して、充分に均斉化した暫定輝度曲線が得られたときの暫定階調値を最終的な階調値とする。
【００３６】
最終的な階調値は、前記位置毎に求める。すなわち、前記位置毎に適切なＫの値を設定する。上述の比Ｒｍ、Ｒｎ及び比Ｔｍ、Ｔｎは、その位置におけるＫに比例する。
したがって、Ｋは、最小二乗法で二次関数に近似した際、略中央部に極小値を有する。すなわち、座標Ｘを横軸、Ｋを縦軸として最小二乗法で二次関数ＦＫ（Ｘ）に近似した際に、二次関数ＦＫ（Ｘ）は下に凸の形状となり、その極小値の座標Ｘｋ０が略中央部にある。
座標Ｘｋ０は、Ｘ（ｍ＝１）とＸ（ｎ＝１）の範囲にあることが好ましい。但し、線状光源の本数が奇数の場合は、座標Ｘｋ０はＸ（ｍ＝２）とＸ（ｎ＝２）の範囲にあることが好ましい。Ｋは、周縁部に近づくに従って単調に増加（但し、一部が一定であってもよい。）することが好ましい。
【００３７】
前記複数位置を、線状光源Ｌｍ、Ｌｎの長手方向にずらして（ａ）〜（ｆ）の作業を別の複数箇所で繰り返せば、各線状光源Ｌｍ、Ｌｎの長手方向に沿った輝度のバラツキを均斉化しやすい。
さらに、より汎用的な輝度均斉化シート１０とするためには、同一規格の複数の面発光ユニット２０の各々に適した階調値のパターンを求め、これらを平均化した階調値のパターンとすることが好ましい。
【実施例】
【００３８】
［面発光ユニット］
縦方向の断面が図１と同等で、表示面の大きさが縦５７４ｍｍ、横１０２４ｍｍの面発光ユニット２０Ａを用意した。面発光ユニット（２０Ａ）の光拡散板２３としては、透明樹脂（ポリメチルメタクリレート）に、粒度分布計（島津製作所製  ＳＡＬＤ−２２００）にて測定した平均二次粒子径１〜２μｍのシリカ粒子を光散乱性微粒子として均一に分散させ、これを押出成形した厚さ２ｍｍのシート（全光線透過率６１．３％）を用いた。
線状光源Ｌｍ、Ｌｎは、直径４ｍｍ、長さ１０４２ｍｍの２２本を、長手方向を表示面の横方向に平行にして図１と同等に配列した。但し、各線状光源Ｌｍ、Ｌｎの間隔ｄｍ、ｄｎは、ｄ１〜ｄ５は２３ｍｍ、ｄ６は２４ｍｍ、ｄ７は２５ｍｍ、ｄ８は２６ｍｍ、ｄ９は２７ｍｍ、ｄ１０は２９ｍｍ、ｄ１１は３０ｍｍである。また、各線状光源Ｌｍ、Ｌｎの中心から拡散板２３裏面までの距離は何れも３ｍｍ、各線状光源Ｌｍ、Ｌｎの中心から反射板２４までの距離は何れも２．５ｍｍである。
【００３９】
［均斉化前の輝度曲線］
面発光ユニット（２０Ａ）のみの輝度、すなわち、均斉化前の輝度を測定した。具体的には、輝度計（トプコンテクノハウス社製、製品名「ＵＡ−１０００」）を、面発光ユニット（２０Ａ）の、表示面左端から３４０ｍｍ、かつ縦方向（図１の左右方向）中央における上方１０００ｍｍの位置に配置した。そして、表示面左端から３４０ｍｍの線上における位置０ｍｍ〜５７４ｍｍの範囲の輝度を０．６ｍｍ間隔で測定した。
なお、座標Ｘ上の位置０ｍｍは、図１左側の線状光源Ｌ１１の左側２２．５ｍｍの位置である。また、位置５７４ｍｍは、図１右側の線状光源Ｌ１１の右側２２．５ｍｍの位置である。
図５に、測定した均斉化前の輝度から求めた均斉化前の輝度曲線と、基準曲線（均斉化前の輝度曲線を、最小二乗法により二次関数に近似した二次近似曲線）を示した。
図５に示すように、均斉化前の輝度曲線は極大点と極小点を繰り返すパターンであり、中央部の輝度が高く、両端近傍部の輝度が中央部よりも低くなっていた。
また、図６に示すように、均斉化前の輝度曲線の振幅（上記Ｂｍ、Ｂｎに相当）を最小二乗法で二次関数に近似した輝度振幅曲線は、略中央部に極小値を有していた。
【００４０】
［輝度差曲線］
図７は、図５における均斉化前の輝度と基準曲線上の基準輝度との差から輝度差を求め、横軸を位置、輝度差を縦軸とした輝度差曲線である。図７に示すように、輝度差の最大絶対値は４７６ｃｄ／ｍ２であった。
【００４１】
［輝度均斉化シートの検討］
各種輝度均斉化シートを調整し、階調値パターンと均斉化効果との関係を確認した。なお、以下において、輝度均斉化シート（１０Ｅ）及び輝度均斉化シート（１０Ｆ）が、本発明の面光源装置用の輝度均斉化シートである。
【００４２】
厚さ１００μｍのポリエチレンテレフタレート性フィルム（東洋紡製、コスモシャインＡ４３００）に、白色インキ（東洋インキ社製ＦＤＯ、ニュー青口Ｔ白ＨＦ１）を用い、下記式（２）で設定した暫定階調値でオフセット印刷し、輝度均斉化シート（１０Ａ）〜（１０Ｄ）を得た。網点の形状はスクエアドットとし、網点面積率をＡＭ階調により変化させて、階調値を調整した。
暫定階調値＝中心階調値＋Ｋ’×（輝度差）・・・・・式（２）
中心階調値は６０％とした。
Ｋ’は、前記式（１）におけるＫと以下の関係にある。
Ｋ’＝Ｋ／（輝度差の最大絶対値）    ［単位：％／（ｃｄ／ｍ２）］
本実施例では、Ｋ’の値を、輝度均斉化シート（１０Ａ）では０．０３、輝度均斉化シート（１０Ｂ）では０．０４、輝度均斉化シート（１０Ｃ）では０．０５５、輝度均斉化シート（１０Ｄ）では０．０７とした。
そして、各輝度均斉化シートを面発光ユニット（２０Ａ）の上に配置した他は、均斉化前の輝度と同様にして輝度を測定し、横軸を前記位置、縦軸を輝度とする暫定輝度曲線を得た。
【００４３】
輝度均斉化シート（１０Ａ）の階調値曲線と、その極大値を最小二乗法により二次関数に近似した極大値曲線を図８に示す。また、輝度均斉化シート（１０Ａ）の暫定輝度曲線を、図５における均斉化前の輝度曲線と共に図９に示す。
図８に示すように、輝度均斉化シート（１０Ａ）の極大値曲線は略中央部に極小値を有し、図９に示すように、得られる暫定輝度曲線は、均斉化前の輝度曲線と同様に、中央部の輝度が高く維持されていた。
但し、Ｋ’が０．０３である輝度均斉化シート（１０Ａ）では、全位置において、暫定輝度曲線に均斉化前の輝度曲線と同じ位相で極大値と極小値が残っており、均斉化の程度が不足していた。
【００４４】
次に、輝度均斉化シート（１０Ｂ）の階調値曲線と、その極大値を最小二乗法により二次関数に近似した極大値曲線を図１０に示す。また、輝度均斉化シート（１０Ｂ）の暫定輝度曲線を、図５における均斉化前の輝度曲線と共に図１１に示す。
図１０に示すように、輝度均斉化シート（１０Ｂ）の極大値曲線は略中央部に極小値を有し、図１１に示すように、得られる暫定輝度曲線は、均斉化前の輝度曲線と同様に、中央部の輝度が高く維持されていた。
しかし、Ｋ’全体が０．０４である輝度均斉化シート（１０Ｂ）では、中央部では充分に均斉化されているが、両端近傍部では、暫定輝度曲線に、均斉化前の輝度曲線と同じ位相で極大値と極小値が残っており、均斉化の程度が不足していた。
【００４５】
次に、輝度均斉化シート（１０Ｃ）の階調値曲線と、その極大値を最小二乗法により二次関数に近似した極大値曲線を図１２に示す。また、輝度均斉化シート（１０Ｃ）の暫定輝度曲線を、図５における均斉化前の輝度曲線と共に図１３に示す。
図１２に示すように、輝度均斉化シート（１０Ｃ）の極大値曲線は略中央部に極小値を有し、図１３に示すように、得られる暫定輝度曲線は、均斉化前の輝度曲線と同様に、中央部の輝度が高く維持されていた。
しかし、Ｋ’全体が０．０５５である輝度均斉化シート（１０Ｃ）では、両端近傍部では充分に均斉化されているが、中央部では暫定輝度曲線が、均斉化前の輝度曲線と位相が反転しており、均斉化の程度が過剰となっていた。
【００４６】
次に、輝度均斉化シート（１０Ｄ）の階調値曲線と、その極大値を最小二乗法により二次関数に近似した極大値曲線を図１４に示す。また、輝度均斉化シート（１０Ｄ）の暫定輝度曲線を、図５における均斉化前の輝度曲線と共に図１５に示す。
図１４に示すように、輝度均斉化シート（１０Ｄ）の極大値曲線は略中央部に極小値を有し、図１５に示すように、得られる暫定輝度曲線は、均斉化前の輝度曲線と同様に、中央部の輝度が高く維持されていた。
しかし、Ｋ’全体が０．０７である輝度均斉化シート（１０Ｄ）では、全位置において、暫定輝度曲線が、均斉化前の輝度曲線と位相が反転しており、均斉化の程度が過剰となっている。
【００４７】
図１６は、輝度均斉化シート（１０Ａ）〜（１０Ｄ）の階調値曲線における極大値と当該極大値に隣接する極小値との差Ｃｍ、Ｃｎを、最小二乗法で二次関数に近似した階調値振幅曲線を示したものである。
図１６に示すように、何れの階調値振幅曲線も、略中央部に極小値を有している。これにより、図６における輝度振幅曲線が、略中央部に極小値を有すること、すなわち、両端近傍部において中央部よりも大きく、かつ両端に向かう程大きい傾向となっていることに対応できる。
【００４８】
輝度均斉化シート（１０Ａ）〜（１０Ｄ）を用いた際の暫定輝度曲線から、最適なＫ’の値は、中央部と両端近傍部とで相違していることが確認できた。
そこで、Ｋ’の値を以下のように位置毎に変化させた他は、輝度均斉化シート（１０Ａ）〜（１０Ｄ）と同様にして、輝度均斉化シート（１０Ｅ）を得た。
領域α  線状光源Ｌ５〜Ｌ１〜Ｌ５の間（中央部）：Ｋ’＝０．０４  
領域β  線状光源Ｌ５〜Ｌ８の間（領域αの両側）：Ｋ’＝０．０４７
領域γ  線状光源Ｌ８〜Ｌ９の間（領域βの両側）：Ｋ’＝０．０５１
領域δ  線状光源Ｌ９の外側（領域γの両側）：Ｋ’＝０．０５５
【００４９】
輝度均斉化シート（１０Ｅ）を面発光ユニット（２０Ａ）の上に配置した他は、均斉化前の輝度と同様にして輝度を測定し、横軸を前記位置、縦軸を輝度とする最終輝度曲線を得た。
輝度均斉化シート（１０Ｅ）の階調値曲線と、その極大値を最小二乗法により二次関数に近似した極大値曲線を図１７に示す。また、輝度均斉化シート（１０Ｅ）の最終輝度曲線を、図５における均斉化前の輝度曲線と共に図１８に示す。
図１７に示すように、輝度均斉化シート（１０Ｅ）の極大値曲線は略中央部に極小値を有し、図１８に示すように、得られる最終輝度曲線は、均斉化前の輝度曲線と同様に、中央部の輝度が高く維持されていた。
さらにＫ’の値を領域毎に変化させた輝度均斉化シート（１０Ｅ）では、全位置において、暫定輝度曲線が充分に均斉化されていた。
【００５０】
図１９は、輝度均斉化シート（１０Ｅ）の階調値曲線における極大値と当該極大値に隣接する極小値との差Ｃｍ、Ｃｎを、最小二乗法で二次関数に近似した階調値振幅曲線を示したものである。図１９に示すように、振幅曲線は、略中央部に極小値を有している。
これにより、図６における輝度振幅曲線が、略中央部に極小値を有すること、すなわち、両端近傍部において中央部よりも大きく、かつ両端に向かう程大きい傾向となっていることに対応できる。
【００５１】
また、図２０は、輝度均斉化シート（１０Ｅ）の階調値曲線における極大値と当該極大値に隣接する極小値との差Ｃｍ、Ｃｎと、均斉化前の輝度曲線における差Ｂｍ、Ｂｎとの比Ｔｍ、Ｔｎ（Ｔｍ＝Ｃｍ／Ｂｍ、Ｔｎ＝Ｃｎ／Ｂｎ）を、最小二乗法で二次関数に近似した振幅比曲線を示したものである。図２０に示すように、振幅比曲線は、略中央部に極小値を有している。これは、Ｋ’（Ｋ）の値を、両端部に近づくほど大きくしたことによる。
図１８に示すように、輝度均斉化シート（１０Ｅ）は、輝度均斉化シート（１０Ａ）〜（１０Ｄ）と異なり、全位置において充分に均斉化できていた。このことから、振幅比曲線が略中央部に極小値を有することで、均斉化の効果が不足しやすい線状光源Ｌｍ、Ｌｎの間隔が広い領域において、光の回り込み効果を高め、全位置において、適切に均斉化を達成できることが確認できた。
【００５２】
式（２）の暫定階調値を、図２１に示す階調値に変更した他は、輝度均斉化シート（１０Ａ）と同様にして、輝度均斉化シート（１０Ｆ）を得た。
図２１には、輝度均斉化シート（１０Ｆ）の階調値曲線と共に、その極大値を最小二乗法により二次関数に近似した極大値曲線を示す。
また、図２２は、輝度均斉化シート（１０Ｆ）の階調値曲線における極大値と当該極大値に隣接する極小値との差Ｃｍ、Ｃｎを、最小二乗法で二次関数に近似した階調値振幅曲線を示したものである。
また、図２３は、輝度均斉化シート（１０Ｆ）の階調値曲線における極大値と当該極大値に隣接する極小値との差Ｃｍ、Ｃｎと、均斉化前の輝度曲線における差Ｂｍ、Ｂｎとの比Ｔｍ、Ｔｎ（Ｔｍ＝Ｃｍ／Ｂｍ、Ｔｎ＝Ｃｎ／Ｂｎ）を、最小二乗法で二次関数に近似した振幅比曲線を示したものである。
【００５３】
図２４に、輝度均斉化シート（１０Ｆ）の輝度曲線を、図５における均斉化前の輝度曲線と共に示す。
図２１に示すように、輝度均斉化シート（１０Ｆ）の極大値曲線は略中央部に極大値を有するため、得られる輝度曲線は、輝度均斉化シート（１０Ｅ）と比較して中央部の輝度が低下していた。
しかし、輝度均斉化シート（１０Ｆ）の輝度曲線は、全位置において、暫定輝度曲線が充分に均斉化されていた。これは、図２２に示すように、振幅曲線が略中央部に極小値を有していると共に、図２３に示すように、振幅比曲線が略中央部に極小値を有しているためである。
【００５４】
暫定階調値を、下記式（３）で設定した比較階調値に変更した他は、輝度均斉化シート（１０Ａ）と同様にして、輝度均斉化シート（１０Ｇ）、（１０Ｈ）を得た。
比較階調値＝ｃ（Ｆ−Ｆｍｉｎ）／（Ｆｍａｘ−Ｆｍｉｎ）・・・・式（３）
但し、Ｆは面発光ユニット（２０Ａ）の均斉化前の輝度、Ｆｍｉｎは前記均斉化前の輝度の最小値、Ｆｍａｘは前記均斉化前の輝度の最大値である。図５に示すように、Ｆｍｉｎは１５５０ｃｄ／ｍ２、Ｆｍａｘは３５００ｃｄ／ｍ２であった。
ｃの値としては、輝度均斉化シート（１０Ｇ）では、特許文献４におけるｃの最小値０．５を用いた。また、輝度均斉化シート（１０Ｈ）では、０．９とした。
そして、各輝度均斉化シートを面発光ユニット（２０Ａ）の上に配置した他は、均斉化前の輝度と同様にして輝度を測定し、横軸を前記位置、縦軸を輝度とする輝度曲線を得た。
【００５５】
輝度均斉化シート（１０Ｇ）の階調値曲線と、その極大値を最小二乗法により二次関数に近似した極大値曲線を図２５に示す。また、輝度均斉化シート（１０Ｇ）の輝度曲線を、図５における均斉化前の輝度曲線及び輝度均斉化シート（１０Ｇ）の最終輝度曲線と共に図２６示す。
図２５に示すように、輝度均斉化シート（１０Ｇ）の極大値曲線は略中央部に極大値を有し、図２６に示すように、得られる輝度曲線は、中央部の輝度が低下してしまっていた。
さらに、中央部では充分に均斉化されているが、両端近傍部では、輝度曲線に、均斉化前の輝度曲線と同じ位相で極大値と極小値が残っており、均斉化の程度が不足していた。
【００５６】
次に、輝度均斉化シート（１０Ｈ）の階調値曲線と、その極大値を最小二乗法により二次関数に近似した極大値曲線を図２７に示す。また、輝度均斉化シート（１０Ｈ）の輝度曲線を、図５における均斉化前の輝度曲線及び輝度均斉化シート（１０Ｅ）の最終輝度曲線と共に図２８に示す。
図２７に示すように、輝度均斉化シート（１０Ｈ）の極大値曲線は略中央部に極大値を有し、図２８に示すように、得られる輝度曲線は、輝度均斉化シート（１０Ｇ）の場合よりも、さらに、中央部の輝度が低下してしまっていた。
さらに、両端近傍部ではかなり均斉化されているが、中央部では、輝度曲線に、均斉化前の輝度曲線と位相の反転が生じており、均斉化の程度が過剰であった。
【００５７】
［階調値と透過率との関係の確認］
全面を均一な階調値（０、１０、２０、３０、４０、５０、６０、７０、８０、９０、１００％）とした他は、輝度均斉化シート（１０Ａ）と同様にして調整した標準シートを用いて、階調値と透過率との関係を調べた。
透過率は、ＪＩＳ  Ｋ７３６１−１準拠の測定装置（村上色彩技術研究所製、ヘーズメーターＨＭ−１５０型）を用いて、当該ＪＩＳで定義される全光線透過率を測定した。各標準シートの階調値と透過率を図２９に示す。図２９に示すように、両者は非常に良好な負の相関関係を有していることが確認できた。
【００５８】
図３０に、輝度均斉化シート（１０Ｅ）の透過率曲線と、その極小値を最小二乗法により二次関数に近似した極小値曲線を示す。
透過率曲線は次のようにして測定した。
まず、ＪＩＳ−Ｋ７３６１に規定される全光線透過率に対応する透過光量が測定可能な透過濃度計伊原電子工業株式会社製  ポータブル白黒透過濃度計Ｉｈａｃ−Ｔ５、アパーチャー直径３ｍｍ）を用い、ネガ網点モードにて式（４）に示す実測値を測定した。そして、得られた実測値を式（５）により透過率に換算した。
［実測値］＝１００−１００×［１−１０−（Dt−D0）］／［１−１０−（Ds−D0）］
・・・・・式（４）
Dt：測定部の透過濃度  
D0＝０        （空気の透過濃度、サンプルなし）
Ds＝２．１４  （機器付属品の透過濃度既知サンプルの透過濃度）
全光線透過率＝１．１０８７×［実測値］−１１．７７４      ・・・・・式（５）
測定は、表示面から３４０ｍｍの線状におけるＸ座標上の位置０ｍｍ〜５７４ｍｍの範囲において、１ｍｍ間隔で行ない、得られた透過率を位置に対してプロットし、透過率曲線を得た。  
【００５９】
また、図３１は、輝度均斉化シート（１０Ｅ）の透過率曲線における極小値と当該極小値に隣接する極大値との差Ａｍ、Ａｎを、最小二乗法で二次関数に近似した透過率振幅曲線を示したものである。
また、図３２は、輝度均斉化シート（１０Ｅ）の透過率曲線における極小値と当該極小値に隣接する極大値との差Ａｍ、Ａｎと、均斉化前の輝度曲線における差Ｂｍ、Ｂｎとの比Ｒｍ、Ｒｎ（Ｒｍ＝Ａｍ／Ｂｍ、Ｒｎ＝Ａｎ／Ｂｎ）を、最小二乗法で二次関数に近似した振幅比曲線を示したものである。
【００６０】
上記のように、階調値と透過率は良好な負の相関関係を有するため、図３０、３１、３２は、図１７、１９、２０のそれぞれのパターンを反映していた。
すなわち、図３０に示すように、輝度均斉化シート（１０Ｅ）の透過率の極小値曲線は略中央部に極大値を有していた。また、図３１に示すように、透過率振幅曲線は、略中央部に極小値を有していた。また、図３２に示すように、振幅比曲線は、略中央部に極小値を有していた。
【００６１】
図３３に、輝度均斉化シート（１０Ｆ）の透過率曲線と、その極小値を最小二乗法により二次関数に近似した極小値曲線を示す。
透過率曲線は輝度均斉化シート（１０Ｅ）の場合と同様にして測定した。
また、図３４は、輝度均斉化シート（１０Ｆ）の透過率曲線における極小値と当該極小値に隣接する極大値との差Ａｍ、Ａｎを、最小二乗法で二次関数に近似した透過率振幅曲線を示したものである。
また、図３５は、輝度均斉化シート（１０Ｆ）の透過率曲線における極小値と当該極小値に隣接する極大値との差Ａｍ、Ａｎと、均斉化前の輝度曲線における差Ｂｍ、Ｂｎとの比Ｒｍ、Ｒｎ（Ｒｍ＝Ａｍ／Ｂｍ、Ｒｎ＝Ａｎ／Ｂｎ）を、最小二乗法で二次関数に近似した振幅比曲線を示したものである。
【００６２】
上記のように、階調値と透過率は良好な負の相関関係を有するため、図３３、３４、３５は、図２１、２２、２３のそれぞれのパターンを反映していた。
すなわち、図３３に示すように、輝度均斉化シート（１０Ｆ）の透過率の極小値曲線は略中央部に極小値を有していた。また、図３４に示すように、透過率振幅曲線は、略中央部に極小値を有していた。また、図３５に示すように、振幅比曲線は、略中央部に極小値を有していた。
【産業上の利用可能性】
【００６３】
本発明の面発光装置及び本発明の輝度均斉化シートを用いて得られる面発光装置は、液晶装置等に用いられるバックライト装置、照明装置、広告表示器等として利用することができる。
【図面の簡単な説明】
【００６４】
【図１】本発明の１実施形態に係る面光源装置の断面図である。
【図２】本発明における均斉化前の輝度曲線の一例ある。
【図３】本発明における透過率曲線の一例である。
【図４】本発明における階調値曲線の一例である。
【図５】実施例で得られた均斉化前の輝度曲線と基準線である。
【図６】実施例で得られた均斉化前の輝度曲線の振幅と輝度振幅曲線である。
【図７】実施例で得られた輝度差曲線である。
【図８】暫定的な階調値曲線と極大値曲線である。
【図９】暫定輝度曲線と均斉化前の輝度曲線である。
【図１０】暫定的な階調値曲線と極大値曲線である。
【図１１】暫定輝度曲線と均斉化前の輝度曲線である。
【図１２】暫定的な階調値曲線と極大値曲線である。
【図１３】暫定輝度曲線と均斉化前の輝度曲線である。
【図１４】暫定的な階調値曲線と極大値曲線である。
【図１５】暫定輝度曲線と均斉化前の輝度曲線である。
【図１６】暫定的な階調値曲線に基づく階調値振幅曲線である。
【図１７】実施例で得られた階調値曲線と極大値曲線である。
【図１８】実施例で得られた最終輝度曲線と均斉化前の輝度曲線である。
【図１９】実施例で得られた振幅曲線である。
【図２０】実施例で得られた振幅比曲線である。
【図２１】実施例で得られた階調値曲線と極大値曲線である。
【図２２】実施例で得られた振幅曲線である。
【図２３】実施例で得られた振幅比曲線である。
【図２４】実施例で得られた輝度曲線と均斉化前の輝度曲線である。
【図２５】比較例で得られた階調値曲線と極大値曲線である。
【図２６】比較例で得られた最終輝度曲線と均斉化前の輝度曲線である。
【図２７】比較例で得られた階調値曲線と極大値曲線である。
【図２８】比較例で得られた最終輝度曲線と均斉化前の輝度曲線である。
【図２９】階調値と透過率との関係を示す図である。
【図３０】実施例で得られた透過率曲線と極小値曲線である。
【図３１】実施例で得られた透過率の振幅比曲線である。
【図３２】実施例で得られた透過率の振幅比曲線である。
【図３３】実施例で得られた透過率曲線と極小値曲線である。
【図３４】実施例で得られた透過率の振幅比曲線である。
【図３５】実施例で得られた透過率の振幅比曲線である。
【符号の説明】
【００６５】
１  バックライトユニット
１０  輝度均斉化シート
２０  面発光ユニット
２１  ハウジング
Ｌｍ、Ｌｎ  光源
２３  光拡散板
２４  反射板
【図１】
2010061867.tif 000003
【図２】
2010061867.tif 000004
【図３】
2010061867.tif 000005
【図４】
2010061867.tif 000006
【図５】
2010061867.tif 000007
【図６】
2010061867.tif 000008
【図７】
2010061867.tif 000009
【図８】
2010061867.tif 000010
【図９】
2010061867.tif 000011
【図１０】
2010061867.tif 000012
【図１１】
2010061867.tif 000013
【図１２】
2010061867.tif 000014
【図１３】
2010061867.tif 000015
【図１４】
2010061867.tif 000016
【図１５】
2010061867.tif 000017
【図１６】
2010061867.tif 000018
【図１７】
2010061867.tif 000019
【図１８】
2010061867.tif 000020
【図１９】
2010061867.tif 000021
【図２０】
2010061867.tif 000022
【図２１】
2010061867.tif 000023
【図２２】
2010061867.tif 000024
【図２３】
2010061867.tif 000025
【図２４】
2010061867.tif 000026
【図２５】
2010061867.tif 000027
【図２６】
2010061867.tif 000028
【図２７】
2010061867.tif 000029
【図２８】
2010061867.tif 000030
【図２９】
2010061867.tif 000031
【図３０】
2010061867.tif 000032
【図３１】
2010061867.tif 000033
【図３２】
2010061867.tif 000034
【図３３】
2010061867.tif 000035
【図３４】
2010061867.tif 000036
【図３５】
2010061867.tif 000037